(57)【要約】【課題】  誤った方向で挿入するのを防止可能なコネクターセットを提供する。【解決手段】  雌コネクター２０の外殻体３１の中には一体で突設した突き止め部２１１を有し、雄コネクター３０の殻体３１の前端には凹部３１１が凹設されている。雄コネクター３０が正確な方向で挿入された時は、雄コネクター３０の凹部３１１は、雌コネクター２０の突き止め部２１１は正しく向かっているので、突き止め部２１１は相対に雄コネクター３０の凹部３１１の中に滑り込んで、雄コネクター３０をスムースに雌コネクター２０に挿入することが可能である。逆に使用者が違った方向で雄コネクター３０をもって雌コネクター２０の中に挿入した時は、雄コネクター３０の凹部３１１は、雌コネクター２０の突き止め部２１１に正しく向いていないので、突き止め部２１１に阻碍されて挿入をスムースに行うことができず、使用者に挿入の方向が違っていることを知らせる。【選択図】    図１
0003113441.tif 000002
【実用新案登録請求の範囲】
【請求項１】
雌コネクター及び雄コネクターを含み誤った方向で挿入するのを防止可能なコネクターセットであって、
雌コネクターは、外殻体を含み、外殻体の中に端子バス本体が嵌設され、並びに外殻体と端子バス本体の後段の間に置き槽が構成され、
雄コネクターは、殻体を含み、殻体の中に端子バス本体が嵌設され、雄コネクターの端子バス本体の各端子と雌コネクターの端子バネ本体の各端子を対応的に搭接することが可能であり、
上記の雌コネクターの外殻体の後端には突き止め部が突設され、突き止め部を置き槽の中に突伸し、雄コネクターの殻体の前端は、中に向かって凹んで凹部を設け、雌コネクターの突き止め部と対応し、突き止め部を相対的に凹部の中に滑り置き可能とし、雄コネクターの前段をちょうどよく雌コネクター後段の置き槽の中に挿入可能とするよう構成したことを特徴とする誤った方向で挿入するのを防止可能なコネクターセット。
【請求項２】
雌コネクターの外殻体は、金属板材の一体曲げ成形で、且つ外殻体の後端に一体で該突き止め部を成形していることを特徴とする請求項１記載の誤った方向で挿入するのを防止可能なコネクターセット。
【請求項３】
雌コネクターの外殻体の後段は、プレス成形により突き部を形成し、各突き部を置き槽の中に突き置いて、挿入した雄コネクターの殻体の外縁に固く突き止めることを特徴とする請求項１記載の誤った方向で挿入するのを防止可能なコネクターセット。
【請求項４】
雄コネクターの殻体は、金属板材の一体の曲げ成形で、殻体の前端縁から中に向かって凹部を形成することを特徴とする請求項１記載の誤った方向で挿入するのを防止可能なコネクターセット。
【考案の詳細な説明】
【技術分野】
【０００１】
本考案は、誤った方向で挿入するのを防止可能なコネクターセットに関し、特にコネクターセットの中の雄コネクターを誤った方向で雌コネクターの中に挿入するのを阻碍可能なコネクターセットに関する。
【背景技術】
【０００２】
従来のデジタル信号伝送に応用されているコネクターセットは雌コネクター及び雄コネクターを含み、雌コネクターは、外殻体を含み、外殻体の中に端子バス本体を嵌設し、並びに外殻体と端子バス本体の後段の間に、置き槽を構成している。そして、雄コネクターは、殻体を含み、殻体の中に端子バス本体を嵌設し、雄コネクターの殻体の前段を対応的に雌コネクターの置き槽の中に挿入し、これによって雄コネクターの端子バス本体の各端子と雌コネクターの端子バス本体の各端子を対応的に搭接さして、信号伝送を進めている。
【０００３】
上述のコネクターセットの組立連接する時は、雄コネクターは必ず正確の方向に基づいて雌コネクターの中に挿入し、雄コネクターの挿入端はやや矩形になっている。その外形は、一般には、雄コネクターの挿入端の一辺に傾斜角辺を形成して、使用者に雄コネクターの正確な挿入方向の区別をさせるのに使用している。
【考案の開示】
【考案が解決しようとする課題】
【０００４】
しかしながら、この小さい傾斜角辺については、コネクター自体の体積は非常に小さいので、常に使用者はそれを見落とす、或いは見まちがう。これで使用者は、スムースに雄コネクターを雌コネクターの中に挿入することができず、或いはむりに雄コネクターを雌コネクターの中に挿入してコネクターセットを損壊するという欠点がある。
【０００５】
したがって本考案の目的は、誤った方向で挿入するのを防止可能なコネクターセットを提供することにある。
【課題を解決するための手段】
【０００６】
上述の目的を達成するために本考案の請求項に記載の誤った方向で挿入するのを防止可能なコネクターセットは、構造は雌コネクター及び雄コネクターを含む。雌コネクターは外殻体を含み、外殻体の中には端子バス本体を備え、外殻体と端子バス本体の後段の間に置き槽を有する。雄コネクターは殻体を含み、殻体の中には端子バス本体を備え、雄コネクターの端子バス本体の各端子と雌コネクターの端子バス本体の各端子を対応的に搭接可能であるように形成している。上記の雌コネクターの外殻体の後端には突き止め部があって、並びに突き止め部を置き槽の中に突伸する。雄コネクターの殻体の前端は、中に向かって凹部を設け、雌コネクターの突き止め部と対応し、並びに突き止め部を相対的に凹部の中に滑り置き、雄コネクターの前段を最適な位置に雌コネクターの後段の置き槽の中に挿入可能である。
【考案を実施するための最良の形態】
【０００７】
以下、本考案の実施例を図面に基づいて説明する。
図１から図５に示すように、本実施例による誤った方向で挿入するのを防止可能なコネクターセットは、下記のものを含む。雌コネクター２０は、外殻体２１を含み、外殻体２１の中に端子バス本体２２を設けていて、並びに外殻体２１と端子バス本体２２の後段の間に置き槽２３を構成する。外殻体２１の後側端縁に突き止め部２１１が突設され、突き止め部２１１を置き槽２３の中に突伸する。雄コネクター３０は、殻体３１を含み、殻体３１の中に端子バス本体３２を嵌設している。雄コネクター３０の殻体３１の前端を中に向けて凹んだ凹部３１１を設けて、対応的に雌コネクター２０の突き止め部２１１に向ける。これによって雄コネクター３０の前段を最適な位置に雌コネクター２０の後段の置き槽２３の中の挿入して、雄コネクター３０端子バス本体３２の各端子３２１と雌コネクター２０の端子バス本体２２の各端子２２１が対応的に搭接することが可能である。雌コネクター２０の突き止め部２１１と雄コネクター３０の凹部３１１の対応関係によって、有効に雄コネクター３０が不正確なる方向で雌コネクター２０の中に挿入するのを阻碍可能となる。
【０００８】
本実施例による誤った方向で挿入するのを防止可能なコネクターセットは雌コネクター２０の外殻体２１は、金属板材で一体の曲げ成形であって、外殻体２１の後端に一体で突き止め部２１１を成形したものである。
【０００９】
雌コネクター２０は、外殻体２１の後段は、一歩進んで突き部２４をプレス成形して、各突き部２４を置き槽２３の中に突き置いて、挿入した雄コネクター３０の殻体３１の外縁に固く突きあてる。
【００１０】
本実施例により示した雄コネクター３０は、殻体３１は金属板材で一体に曲げ成形であって、殻体３１の前端縁から中に向かって凹部３１１を形成し、対応的に雌コネクター２０の突き止め部２１１を滑り込むようにしている。これで雄コネクター３０の前端はスムースに雌コネクター２０の置き槽２３の中に挿入することが可能である。
【００１１】
本実施例により示したコネクターセットは、図面で示した形式を自限しない。また、その他の形式のコネクターに応用することが可能で、本考案を自限しない。
【００１２】
上記で説明した本考案の実施例による誤った方向で挿入するのを防止可能なコネクターセットのその構造の特徴は以下の通りである。雌コネクター２０の外殻体３１の中には一体で突設した突き止め部２１１を有し、雄コネクター３０の殻体３１の前端には凹部３１１が凹設されている。雄コネクター３０が正確な方向で雌コネクター２０に挿入した時は、雄コネクター３０の凹部３１１は、雌コネクター２０の突き止め部２１１は正しく向かっているので、雄コネクター３０が雌コネクター２０に挿入した過程中では、突き止め部２１１は相対に雄コネクター３０の凹部３１１の中に滑り込んで、雄コネクター３０をスムースに雌コネクター２０に挿入することが可能である。逆に使用者が違った方向で雄コネクター３０をもって雌コネクター２０の中に挿入した時は、雄コネクター３０の凹部３１１は、雌コネクター２０の突き止め部２１１に正しく向いていないので、雄コネクター３０が雌コネクター２０に挿入した過程中で、突き止め部２１１に阻碍されて挿入をスムースに行うことができず、使用者に挿入の方向が違っていることを知らせて、使用者が強力に挿入するのを避けて、コネクターセットの損壊を生じるのをなくす。このように本考案は新規性及び実用性がある。
【００１３】
本考案の構造、形状を一部変更した後に生じた効果、作用が本明細書と図面を含む範囲である場合はすべて本考案の範囲の属することは当然であることを強調する。
【図面の簡単な説明】
【００１４】
【図１】本考案の実施例による誤った方向で挿入するのを防止可能なコネクターセットで雌コネクターと、雄コネクターとが分解状態になっている状態を示す図である。
【図２】本考案の実施例による誤った方向で挿入するのを防止可能なコネクターセットで雌コネクターと、雄コネクターとが組み立てられた状態を示す図である。
【図３】本考案の実施例による誤った方向で挿入するのを防止可能なコネクターセットで雌コネクターと、雄コネクターとが組み立てられた状態を示す別の角度からの図である。
【図４】本考案の実施例による誤った方向で挿入するのを防止可能なコネクターセットの雌コネクターの後端から見た平面図である。
【図５】本考案の実施例による誤った方向で挿入するのを防止可能なコネクターセットの雄コネクターの前端から見た平面図である。
【符号の説明】
【００１５】
２０  雌コネクター、２１  外殻体、２２  端子バス本体、２３  置き槽、２４  突き部、３０  雄コネクター、３１  殻体、３２  端子バス本体、２１１  突き止め部、２２１  端子、３１１  凹部、３２１  端子
【図１】
0003113441.tif 000003
【図２】
0003113441.tif 000004
【図３】
0003113441.tif 000005
【図４】
0003113441.tif 000006
【図５】
0003113441.tif 000007